(57)【要約】      （修正有）【課題】設置業者が監視カメラを現地に搬入する前に、あらかじめネットワークの初期設定や映像確認をおこなうため、設置業者は監視カメラを梱包箱から取り出す必要がある。特に、屋外用監視カメラは底面から接続ケーブルがでており、安定して置くことができないため、専用の置き台を用意する必要があった。【解決手段】監視カメラ１本体をドーム２が上向きになるように梱包箱に収納し、かつ下緩衝部材３０は、監視カメラ本体の下部に配置されている接続ケーブル３を上向きに案内するガイド部を有し、上緩衝部材２０を外したとき、接続ケーブルのコネクタ部が接続可能な状態になるように構成した。【選択図】図１
2017144999.tif 000002
【特許請求の範囲】
【請求項１】
円形ドームと接続ケーブルを有する監視カメラを保持する緩衝部材と、前記緩衝部材が収納される包装箱を備える梱包システムであって、
前記緩衝部材は、上緩衝部材と下緩衝部材で構成され、前記監視カメラを上下から保持し、かつ円形ドームが上向きになるように収納し、かつ下緩衝部材は、前記監視カメラの円形ドームと反対位置に配置された接続ケーブルを上向きに案内するガイド部を有し、かつ前記上緩衝部材を外したときに、前記接続ケーブルのコネクタが接続可能な状態に構成されていることを特徴とする監視カメラの緩衝部材。
【請求項２】
前記上緩衝部材は、前記円形ドームの表面を保護するためのドーム保護カバーを取り付けられる構成にしたことを特徴とする請求項１に記載の監視カメラの緩衝部材。
【発明の詳細な説明】
【技術分野】
【０００１】
本発明は、監視カメラの梱包に関するもので、特に監視カメラの初期設定の作業性を向上する梱包材に関する。
【背景技術】
【０００２】
従来、光学系を内蔵した円形ドーム部と、配線接続部を有する監視カメラが知られている。円形ドームを有する監視カメラを設置する設置業者は、設置場所に搬入する前に、あらかじめ監視カメラを開梱し、配線接続部に所定のケーブルを接続してから初期設定をおこなう必要がある。初期設定の項目として、ＩＰアドレス、映像サイズ、映像品質、最大フレームレートなどがある。
【０００３】
このような作業をおこなう場合、円形ドーム部は球体形状であるため円形ドームを支える作業台として、緩衝材を利用して監視カメラを載置することが可能な構成を提案している（特許文献１）。
【先行技術文献】
【特許文献】
【０００４】
【特許文献１】特開２０１３−３５５７３号公報
【発明の概要】
【発明が解決しようとする課題】
【０００５】
しかしながら、上記のような従来の円形ドームを有する監視カメラは、屋内に設置されるタイプであるが、最近では、雨やほこりから内部を保護するために防水機能および防塵機能を有している屋外用の監視カメラが市場に出回ってきている。
【０００６】
このような屋外用の監視カメラは、従来のコネクタ部を設けケーブルをコネクタ接続する構成ではなく、監視カメラ本体の底面から直接、接続ケーブルがでており、ケーブル自体が防水機能を有した構成になっている。
【０００７】
また、底面から直接ケーブルがでているため、監視カメラ単体で安定して置くことが可能な形状にはなっていない。
【０００８】
さらに、屋外用のドーム状監視カメラは防塵防水機能を有しているために、本体サイズが大きく、重量も重くなっている。
【０００９】
このような屋外用のドーム状監視カメラの初期設定作業をおこなう場合、専用の置き台を用意したり、あるいは特許文献１の構成のように本体を梱包状態から取り出し、緩衝材に再度、載置しなおすことが発生し、作業性の低下に繋がっている。
【課題を解決するための手段】
【００１０】
上記の課題を解決するために、本発明に係る監視カメラの緩衝部材は、
円形ドームと接続ケーブルを有する監視カメラを保持する緩衝部材と、前記緩衝部材が収納される包装箱を備える梱包システムであって、前記緩衝部材は、上緩衝部材と下緩衝部材で構成され、前記監視カメラを上下から保持し、かつ円形ドームが上向きになるように収納し、かつ下緩衝部材は、前記監視カメラの円形ドームと反対位置に配置された接続ケーブルを上向きに案内するガイド部を有し、かつ前記上緩衝部材を外したときに、前記接続ケーブルのコネクタが接続可能な状態になるように構成されていることを特徴とする。
【００１１】
さらに前記上緩衝部材は、前記円形ドームの表面を保護するためのドーム保護カバーを取り付けられる構成にしたことを特徴とする。
【発明の効果】
【００１２】
本発明に係る監視カメラの緩衝部材によれば、ドーム状監視カメラを梱包箱に収納したまま上緩衝部材を取り外すだけでケーブル接続が可能になり、ネットワークの初期設定が可能となる。さらに、上緩衝部材にドーム保護カバーを取り付けているので、上緩衝部材を取り外すと同時にドーム保護カバーも外れるので、映像確認が可能となる。このように、初期設定や設置性に優れた監視カメラの包装材を提供することができる。
【図面の簡単な説明】
【００１３】
【図１】本発明の第１の実施例のドーム状監視カメラを梱包した状態を示す断面図である。
【図２】本発明の第１の実施例の上緩衝部材を外した状態を示す斜視図である。
【図３】本発明の第２の実施例のドーム保護カバーが上緩衝部材に取り付けられた状態を示す斜視図である。
【発明を実施するための形態】
【００１４】
以下、本発明の実施の形態について図面を参照して説明する。
【実施例１】
【００１５】
図１は本発明の第１の実施例のドーム状監視カメラを梱包した状態を示す断面図である。
【００１６】
ドーム状監視カメラ１はドーム２を上面に向けた状態で、上緩衝部材２０と下緩衝部材３０によって保持されて個装箱１０内に収納される。上緩衝部材２０の上面には、使用説明書４０を収納するスペースが設けられている。ここで、上緩衝部材２０と下緩衝部材３０は、発泡プラスチック製の緩衝材で作られている。下緩衝部材３０は、本発明の第１の実施例である接続ケーブルを上方に案内する溝部３１を設けており、ドーム状監視カメラ１を収納したとき接続ケーブル３のコネクタ部が下緩衝部材３０の上面側に出るように構成されている。
【００１７】
図２は本発明の第１の実施例の上緩衝部材を外した状態を示す斜視図である。
【００１８】
上緩衝部材を外すと、ドーム状監視カメラ１のドーム２が上面に向いた状態になっており、かつ下緩衝部材３０の溝部３１に案内されて接続ケーブル３のコネクタ部が上向きに突き出た状態になっている。このような状態で、監視カメラを設置する設置業者は、接続ケーブルを接続し（Ａ矢印）映像確認をしながら、初期設定をおこなうことが可能となる。
【００１９】
以上のように設置業者は、本体を梱包箱から取り出す必要がなく、初期設定をおこない
再度、梱包して現地に搬入することが可能となり、作業性が格段に向上する。
【実施例２】
【００２０】
第２の実施例である緩衝部材の形態について図面を参照して説明する。
【００２１】
図３は本発明の第２の実施例のドーム保護カバーが上緩衝部材に取り付けられた状態を示す斜視図である。
【００２２】
ドーム保護カバー５０は、設置までにドーム２に埃やキズがつかないように保護する機能を有している。通常、ドーム保護カバー５０は不織布で形成されており、ドーム状監視カメラ１のドーム２を覆うように取り付けられテープで本体に固定される。
【００２３】
第２の実施例では、上緩衝部材２０の保護カバー取付部２１にドーム保護カバー５０の取付穴部５１が係合し、ドーム保護カバー５０が開いた状態で上緩衝部材２０に取り付けられるように構成されている。
【００２４】
このように構成することで、実施例１の図２の場合のように上緩衝部材２０を外すと同時にドーム保護カバー５０も取り外されるので、ドーム２が開放され映像確認が可能となり、さらに作業性が改善される。
【符号の説明】
【００２５】
１  ドーム状監視カメラ、２  ドーム、３  接続ケーブル、１０  個装箱、
２０  上緩衝部材、２１  上緩衝部材のドーム保護カバー取付部、３０  下緩衝部材、
３１  下緩衝部材の接続ケーブル案内溝部、４０  使用説明書、
５０  ドーム保護カバー、５１  ドーム保護カバーの取付穴部
【図１】
2017144999.tif 000003
【図２】
2017144999.tif 000004
【図３】
2017144999.tif 000005